(57)【要約】【課題】誘導加熱調理器のユーザの使い勝手を向上させる。【解決手段】誘導加熱調理器は、加熱コイルと、回転することにより前記加熱コイルの操作を受け付ける回転するダイヤルと、前記ダイヤルの回転量に応じて前記加熱コイルの出力を段階的に変化させる制御部を備え、前記制御部は、前記出力を一段階変化させるときの前記ダイヤルの回転量を、複数の値から選択するように構成されたものである。これにより、ユーザの好む火力操作スピードへの調整が可能となり、ユーザの多種多様な好みに対応する事ができるようになる。【選択図】図５
2020136107.tif 000002
【特許請求の範囲】
【請求項１】
加熱コイルと、
回転することにより前記加熱コイルの操作を受け付けるダイヤルと、
前記ダイヤルの回転量に応じて前記加熱コイルの出力を段階的に変化させる制御部と、
を備え、
前記制御部は、前記出力を一段階変化させるときの前記ダイヤルの回転量を、複数の値から選択するように構成された、誘導加熱調理器。
【請求項２】
前記ダイヤルは、前記ダイヤルの所定の回転量毎に反転動作してユーザにクリック感を付与する可動部を含み、
前記複数の値のそれぞれは、前記ダイヤルのクリック数に対応する、請求項１に記載の誘導加熱調理器。
【請求項３】
前記制御部が設定可能な前記加熱コイルの前記出力のうち、もっとも小さい出力を第１の出力とする場合に、前記制御部は、
ゼロ出力から前記第１の出力に変化させるときの前記ダイヤルの回転量を、前記複数の値から選択しないように構成された、
請求項１または２に記載の誘導加熱調理器。
【請求項４】
前記ゼロ出力から前記第１の出力に変化させるときの前記ダイヤルの前記回転量は、
前記加熱コイルの前記出力を、前記第１の出力から前記第１の出力より大きい第２の出力に変化させるときの前記ダイヤルの回転量よりも大きい、請求項３に記載の誘導加熱調理器。
【請求項５】
前記制御部が設定可能な前記加熱コイルの前記出力のうち、もっとも小さい出力を第１の出力とする場合に、
前記第１の出力から前記出力を一段階増大させるときの前記ダイヤルの回転量から、
最大出力の一段階前の出力から前記最大出力に一段階変化させるときの前記ダイヤルの回転量までは、一定である、請求項１または２に記載の誘導加熱調理器。
【請求項６】
グリルと、
回転することにより前記グリルの操作を受け付けるグリル用ダイヤルと、を備え、
前記制御部は、前記グリル用ダイヤルの回転に応じて前記グリルの動作を制御するように構成され、
前記制御部は、前記グリルが通電されていない状態で、
前記グリル用ダイヤルが第１の方向に回転すると手動メニューを選択し、
前記グリル用ダイヤルが前記第１の方向と異なる第２の方向に回転すると自動メニューを選択する、請求項１から５のいずれか一つに記載の誘導加熱調理器。
【請求項７】
前記自動メニューは複数のコースを含み、
前記制御部は、前記複数のコースのうちの一つを選択すると、前記グリル用ダイヤルが回転するのみでは、他のコースへの変更を受け付けないように構成された、請求項６に記載の誘導加熱調理器。
【請求項８】
前記制御部は、
前記加熱コイルを通電状態から停止状態に変化させるとき、
前記ダイヤルが回転しない一定の期間が経過した後、前記ダイヤルが回転した場合に、前記停止状態に変化させるように構成された、
請求項１または２に記載の誘導加熱調理器。
【請求項９】
前記制御部が設定可能な前記加熱コイルの前記出力のうち、もっとも小さい出力を第１の出力とし、前記第１の出力より大きい出力を第２の出力とする場合に、
前記第１の出力からゼロ出力に変化するときの前記ダイヤルの回転量は、
前記第２の出力から前記第１の出力に変化するときの前記ダイヤルの回転量よりも大きい、請求項１または２に記載の誘導加熱調理器。
【発明の詳細な説明】
【技術分野】
【０００１】
本発明は、キッチンなどに用いられる誘導加熱調理器に関するものである。
【背景技術】
【０００２】
従来から、誘導加熱調理器の火力操作を受け付ける手段として、特許文献１に記載されている静電タッチ式ボタンが挙げられる。また、その他の火力操作を受け付ける手段には、タクトスイッチおよびダイヤルが挙げられる。
【先行技術文献】
【特許文献】
【０００３】
【特許文献１】特許第５９３８６２６号公報
【発明の概要】
【発明が解決しようとする課題】
【０００４】
発明者らは、ダイヤルによる火力操作は、シンプルで、ユーザの直感に沿う操作を実現できると認識する。したがって、発明者らは、ダイヤルによる火力操作は、幅広いユーザ層にとって操作しやすいと考える。しかし、調理の火力操作感覚は、人それぞれ違うにも関わらず、火力操作スピードを調整できないという課題がある。本発明は、このような課題を解決するものであり、ユーザの好みに合わせた火力操作スピードを設定できる加熱調理システムを提供する事を目的とする。
【課題を解決するための手段】
【０００５】
従来の課題を解決するために、本発明の誘導加熱調理器は、加熱コイルと、回転することにより加熱コイルの操作を受け付けるダイヤルと、ダイヤルの回転量に応じて加熱コイルの出力を段階的に変化させる制御部と、を備え、制御部は、出力を一段階変化させるときのダイヤルの回転量を、複数の値から選択するように構成されている。
【発明の効果】
【０００６】
ユーザがダイヤルの火力操作スピードを選択できるため、ユーザの使い勝手が向上する。
【図面の簡単な説明】
【０００７】
【図１】本発明の実施の形態１における誘導加熱調理器の全体を模式的に示す斜視図
【図２】本発明の実施の形態１における誘導加熱調理器を上面から見た図
【図３】本発明の実施の形態１における誘導加熱調理器の電気的構成を示す図
【図４】本発明の実施の形態１におけるダイヤル部の断面を模式的に示す図
【図５】本発明の実施の形態１における火力レベルに応じた出力ワットとクリック数との関係を示す図
【図６】本発明の実施の形態１における操作スピード設定選択時の各ＬＣＤ部の表示を示す図
【図７】本発明の実施の形態１における操作スピード選択時の各ＬＣＤ部の表示を示す図
【図８】本発明の実施の形態１における手動メニュー選択時の各ＬＣＤ部の表示を示す図
【図９】本発明の実施の形態１における自動メニュー選択時の各ＬＣＤ部の表示を示す図
【発明を実施するための形態】
【０００８】
本実施の形態の誘導加熱調理器は、加熱コイルと、回転することにより加熱コイルの操作を受け付けるダイヤルと、ダイヤルの回転量に応じて加熱コイルの出力を段階的に変化させる制御部を備え、制御部は、出力を一段階変化させるときの回転量を、複数の値から選択するように構成されたものである。これにより、ユーザの好む火力操作スピードへの調整が可能となり、ユーザの多種多様な好みに対応する事ができるようになる。
【０００９】
誘導加熱調理器において、ダイヤルは、所定の回転量毎に反転動作してユーザにクリック感を付与する可動部を含み、複数の値のそれぞれは、ダイヤルのクリック数に対応するように構成されていてもよい。これにより、火力操作スピードが調整された事を、ユーザ自身がクリック数の変化によって容易に感じる事が可能となり、ユーザの使い勝手を向上させる事が可能となる。
【００１０】
誘導加熱調理器において、制御部が設定可能な加熱コイルの出力のうち、もっとも小さい出力を第１の出力とする場合に、制御部は、ゼロ出力から第１の出力に変化させるときの回転量を、複数の値から選択しないように構成されていてもよい。これにより、ゼロ出力から第１の出力に変化させる時の回転量を、安全面の観点から、一定に維持する事が可能となる。
【００１１】
誘導加熱調理器において、ゼロ出力から第１の出力に変化させるときのダイヤルの回転量は、加熱コイルの出力を、第１の出力から第１の出力より大きい第２の出力に変化させるときのダイヤルの回転量よりも大きくなるように構成されていてもよい。これにより、ユーザの意図しない加熱スタートを防ぐ効果が得られるようになり、さらにユーザの使い勝手を向上させる事ができる。
【００１２】
誘導加熱調理器において、制御部が設定可能な加熱コイルの出力のうち、もっとも小さい出力を第１の出力とする場合に、第１の出力から出力を一段階増大させるときのダイヤルの回転量から、最大出力の一段階前の出力から最大出力に一段階変化させるときのダイヤルの回転量までが一定となるように構成されていてもよい。これにより、出力の段階変化と回転量との関係が単純になり、ユーザの使い勝手を向上させることができる。
【００１３】
誘導加熱調理器において、グリルと、回転することによりグリルの操作を受け付けるグリル用ダイヤルと、を備え、制御部は、グリル用ダイヤルの回転に応じて前記グリルの動作を制御するように構成されていてもよい。また、制御部は、グリルが通電されていない状態で、グリル用ダイヤルが第１の方向に回転すると手動メニューを選択し、グリル用ダイヤルが第１の方向と異なる第２の方向に回転すると自動メニューを選択するように構成されていてもよい。これにより、ユーザは、ダイヤル操作によって調理メニューを素早く選択できるようになり、さらにユーザの使い勝手を向上させる事ができる。
【００１４】
誘導加熱調理器において、自動メニューは複数のコースを含み、制御部は、複数のコースのうちの一つを選択すると、グリル用ダイヤルが回転するのみでは、他のコースへの変更を受け付けないように構成されていてもよい。これにより、ユーザの意図しない操作を防ぐ事ができ、さらにユーザの使い勝手を向上させる事ができる。
【００１５】
誘導加熱調理器において、制御部は、加熱コイルを通電状態から停止状態に変化させるとき、ダイヤルが回転しない一定の期間が経過した後、ダイヤルが回転した場合に、停止状態に変化させるように構成されていてもよい。これにより、ユーザの意図しない加熱停止を防ぐことができ、さらにユーザの使い勝手を向上させる事ができる。
【００１６】
誘導加熱調理器において、制御部が設定可能な加熱コイルの出力のうち、もっとも小さ
い出力を第１の出力とし、第１の出力より大きい出力を第２の出力とする場合に、第１の出力からゼロ出力に変化するときのダイヤルの回転量は、第２の出力から第１の出力に変化するときのダイヤルの回転量よりも大きくなるように構成されていてもよい。これにより、ユーザの意図しない加熱停止動作を防ぐことができ、さらにユーザの使い勝手を向上させる事ができる。
【００１７】
以下、本発明の実施の形態について、図面を参照しながら説明する。なお、この実施の形態によって本発明が限定されるものではない。
（実施の形態１）
加熱調理器の全体構成について、図１〜図３を用いて説明する。
【００１８】
加熱調理器はトッププレートユニット１０と本体ユニット２０を備える。トッププレートユニット１０は、トッププレート１１と、操作部１２と、フレーム１５と、電源ＳＷと、を備える。トッププレート１１には絶縁体の耐熱ガラスが用いられる。被加熱体４０はトッププレート１１上に配置される。フレーム１５は、トッププレート１１の外縁を囲い、トッププレート１１を本体ユニット２０に取り付ける支持部となる。本実施の形態では、フレーム１５の手前の部分は、土手のようにトッププレート１１から盛り上がっている。また、フレーム１５の手前の部分は、奥側から手前側に向かって低くなるように、傾斜している。フレーム１５の材料は、たとえばステンレス等の金属である。操作部１２は、図２に示すダイヤル部３０ａ，３０ｂ，３０ｃとＬＣＤ（Ｌｉｑｕｉｄ  Ｃｒｙｓｔａｌ
Ｄｉｓｐｌａｙ）部１３ａ，１３ｂ，１３ｃとＬＥＤ（Ｌｉｇｈｔ  Ｅｍｉｔｔｉｎｇ
Ｄｉｏｄｅ）ランプ１４ａ，１４ｃを備える。以下、ダイヤル部３０ａ，３０ｂ，３０ｃを総称してダイヤル部３０とする場合がある。ＬＣＤ部１３ａ，１３ｂ，１３ｃを総称してＬＣＤ部１３とする場合がある。ＬＥＤランプ１４ａ，１４ｃを総称してＬＥＤランプ１４とする場合がある。
【００１９】
本実施の形態では、ダイヤル部３０は３個であり、ＬＣＤ部１３も３個である。ＬＥＤランプ１４は２セットである。ダイヤル部３０はトッププレート１１の手前であって、フレーム１５上に配置されている。３つのダイヤル部３０ａ，３０ｂ，３０ｃは左右方向に配列されている。左右のダイヤル部３０ａ，３０ｃは加熱コイル２３ａ，２３ｂ用である。中央のダイヤル部３０ｂは、後述のグリル部２４用である。それぞれのＬＣＤ部１３ａ，１３ｂ，１３ｃはそれぞれのダイヤル部３０ａ，３０ｂ，３０ｃの近傍に配置されている。それぞれのＬＥＤランプ１４ａ，１４ｃも、それぞれのダイヤル部３０ａ，３０ｂ，３０ｃ近傍に配置されている。ＬＥＤランプ１４ａ，１４ｃは、それぞれ５つの小ランプを含む。５つの小ランプは、対応する加熱部（後述する加熱コイル２３、ヒータ２５）の火力に応じて点灯する。
【００２０】
本体ユニット２０は、図３に示すインバータ回路２１と、制御部２２と、加熱コイル２３と、グリル部２４を備える。インバータ回路２１は、加熱コイル２３に電流を流す。制御部２２は、インバータ回路２１、加熱コイル２３、グリル部２４、操作部１２を制御する。加熱コイル２３は左右方向に二つ配置されている。図１、図２において、左側に配置される加熱コイルを加熱コイル２３ａとし、右側に配置される加熱コイルを加熱コイル２３ｂとする。加熱コイル２３ａ，２３ｂを総称して加熱コイル２３とする場合がある。被加熱体４０はトッププレート１１を介して、加熱コイル２３と対向する位置に配置される。グリル部２４は、収納庫と収納庫内部に配置された上ヒータ２５、下ヒータ２６を備える。
【００２１】
この加熱調理器では、ユーザがダイヤル部３０を回転操作する事により、ダイヤル部３０から、ダイヤル回転操作に応じた信号が制御部２２に送られる。制御部２２は、ダイヤル部３０のうち、ダイヤル部３０ａ、３０ｃからの信号を受けると、インバータ回路２１
に火力を制御する信号を送信する。インバータ回路２１は、制御部２２からの信号を受けると、制御部２２からの信号に応じて、被加熱体４０を誘導加熱する加熱コイル２３に電流を流す。電流が加熱コイル２３に流れると、加熱コイル２３の上方に配置された被加熱体４０が加熱される。また、制御部２２は、ダイヤル部３０ｂからの信号を受けると、ヒータ２５の動作を制御する。
【００２２】
次に、ダイヤル部３０の構成について図４を用いて説明する。ダイヤル部３０は、トッププレートユニット１０の上面（つまり、本実施の形態では、図１のフレーム１５の天面）に対して鉛直な軸ＣＲを中心に回転する。ダイヤル部３０の形状は、円筒状である。ダイヤル部３０は、エンコーダ３１と、エンコーダカバー３２と、クリック感付与部３３を有する。エンコーダ３１は軸ＣＲを中心に回転する。エンコーダ３１が回転すると、回転に応じた信号が制御部２２に出力される。エンコーダカバー３２は、エンコーダ３１の外周に配置される。エンコーダカバー３２の形状は、ほぼ円筒状である。エンコーダカバー３２は、樹脂材料から形成される。クリック感付与部３３は、ばね３３ａと、突起３３ｂと、を含む。本実施の形態では、突起３３ｂの数は３つとする。それぞれの突起３３ｂは、トッププレートユニット１０に固定されている。それぞれの突起３３ｂは、エンコーダ３１の下方に所定の間隔を空けて配置される。ばね３３ａは、エンコーダ３１の下部に固定されている。
【００２３】
ユーザが、エンコーダカバー３２を介してダイヤル部３０を回転操作すると、エンコーダ３１が回転する。エンコーダ３１が回転すると、ばね３３ａが各突起３３ｂと接触し、弾性変形する。エンコーダ３１が所定の角度以上回転すると、ばね３３ａは弾性変形し切れず、反転動作する。この時、クリック感が発生する。ばね３３ａが突起３３ｂと接触して反転動作する数と、クリック数とが合致する。また、エンコーダ３１が回転すると、回転量に応じた信号が制御部２２に送られる。本実施の形態の場合、クリック数に応じた信号が制御部２２に送られる。
【００２４】
次に、加熱コイル２３用のダイヤル部３０（ダイヤル３０ａ，３０ｃ）の回転量と、加熱コイル２３の出力レベルの具体的な関係について図５を用いて説明する。本実施の形態では、制御部２２は、ダイヤル部３０（ダイヤル３０ａ，３０ｃ）の回転量に応じて加熱コイル２３の出力を段階的に変化させる事ができる。
【００２５】
たとえば、加熱コイル２３の出力レベルは、本実施の形態では鉄系の鍋の加熱において、レベル１からレベル１０まで設定される。レベル１は本発明の第１の出力の一例であり、レベル２は本発明の第２の出力の一例である。レベル１０は本発明の最大出力の一例である。具体的には、たとえばレベル１は７９Ｗ、レベル２は２０１Ｗ、レベル３は３３０Ｗ、レベル４は４６０Ｗ、レベル５は６６０Ｗ、レベル６は９６０Ｗ、レベル７は１４１０Ｗ、レベル８は１９６０Ｗ、レベル９は２４６０Ｗ、レベル１０は２９６０Ｗに相当する。
【００２６】
加熱コイル２３が停止状態において、ダイヤル部３０（ダイヤル３０ａ，３０ｃ）が５クリック分右回転されると、加熱コイル２３はレベル１となるように制御される。なお、停止状態とは、加熱コイル２３の出力がゼロの状態である。レベル１の状態で、ダイヤル部３０（ダイヤル３０ａ，３０ｃ）が２クリック分右回転されると、加熱コイル２３はレベル２となるように制御される。
【００２７】
同様に、２クリック分右回転されるごとに、火力レベルが１段階上昇するように加熱コイル２３は制御される。さらに、加熱コイル２３は、レベル１０の状態で、ダイヤル部３０（ダイヤル３０ａ，３０ｃ）が２クリック分左回転されると、加熱コイル２３はレベル９となるように制御される。
【００２８】
また、レベル９の状態で、ダイヤル部３０（ダイヤル３０ａ，３０ｃ）が２クリック分左回転されると、加熱コイルはレベル８となるように制御される。同様に、２クリック分左回転されるごとに、火力レベルが１段階下降するように加熱コイル２３は制御される。また、レベル１の状態で、ダイヤル部３０（ダイヤル３０ａ，３０ｃ）が３クリック分左回転されると、加熱コイル２３は停止状態となるように制御される。
【００２９】
本実施の形態では、制御部２２は、レベル１〜レベル１０において、出力を一段階（１レベル）変化させるときの回転量、つまりクリック数を、複数の値から、例えば３つの値から選択するように構成されている。例えばユーザが初期モードにおいてグリル用の中央のダイヤル部３０ｂを、フレーム１５の天面に向かって鉛直にプッシュし、その後ダイヤル部３０ｂを左右どちらかに回転させると、加熱調理器は、機能の設定モードに移行する。その後、グリル用の中央ダイヤル部３０ｂを回転させると、種々の設定メニューが選択できる。例えば、グリル用の中央ダイヤル部３０ｂを右に１クリック分回転すると、グリル用の中央ＬＣＤ部１３ｂに図６に示すような、ダイヤル操作スピードを選択するトップ画面が表示される。この状態で、グリル用のダイヤル部３０ｂをプッシュすると、グリル用のＬＣＤ部１３ｂに図７に示すような、ダイヤル操作スピードの選択画面が表示される。ダイヤル操作「遅」が選択されると、出力を一段階（１レベル）変化させるときクリック数は３に設定される。ダイヤル操作「標準」が選択されると、出力を一段階（１レベル）変化させるときクリック数は２に設定される。ダイヤル操作「早」が選択されると、出力を一段階（１レベル）変化させるときクリック数は１に設定される。これにより、ユーザの好む火力操作スピードへの調整が可能となり、ユーザの多種多様な好みに対応する事ができるようになる。
【００３０】
また、上述のように、本実施の形態では、加熱コイル２３を停止状態からレベル１に変化させるときのクリック数（回転量の一例）が、５に固定され、ユーザは選択できないように構成されている。つまり停止状態からレベル１に変化するときのダイヤルの回転量（たとえばクリック数）は、加熱コイル２３の出力が、レベル１以上の出力からさらに大きい出力に変化するときの回転量（たとえばクリック数）と異なり、選択されないように構成されている。これにより、ユーザは、加熱コイル２３を停止状態からレベル１に変化させるには、常にダイヤル部３０を５クリック分回転させる必要がある。したがって、ユーザが、ダイヤル操作スピードを調整しているうちに、加熱スタートに必要な回転量を忘れてしまう可能性を低減でき、安全性が向上する。
【００３１】
同様に、本実施の形態では、加熱コイル２３をレベル１から停止状態に変化させるときのクリック数が３に固定され、ユーザは選択できないように構成されている。これにより、ユーザが加熱停止に必要な回転量を忘れてしまう可能性を低減でき、安全性が向上する。
【００３２】
また、本実施の形態では、レベル１からレベル９の各状態において、出力を一段階上昇させるときのダイヤルのクリック数（回転量の一例）は一定（図５では２つ）となるように構成されている。これにより、加熱コイル２３の出力の段階変化とダイヤル部３０の回転量との関係が単純になり、ユーザの使い勝手を向上させることができる。
【００３３】
同様に、本実施の形態では、レベル１０からレベル２の各状態において、出力を一段階下降させるときのダイヤルのクリック数（回転量の一例）は一定（図５では２つ）となるように構成されている。これにより、加熱コイル２３の出力の段階変化とダイヤル部３０の回転量との関係が単純になり、ユーザの使い勝手を向上させることができる。
【００３４】
また、本実施の形態では、図５に示すように、加熱コイル２３が停止状態からレベル１
に変化するときのダイヤルの回転量(例えばクリック数)は、固定されているだけでなく、加熱コイル２３の出力が、レベル１から、より大きいレベルに変化するときのダイヤルの回転量(例えばクリック数)よりも大きくなるように構成されている。これにより、ユーザが加熱コイル２３に通電する場合、始めはダイヤルを大きく回転させる必要がある。従ってユーザが意図しない加熱スタートを防ぐ効果が得られるようになり、さらにユーザの使い勝手を向上させる事ができる。
【００３５】
また本実施の形態では、ダイヤル部３０は、加熱コイル２３の火力をレベル１から停止状態に変化させるときに必要な回転量を、他のレベルから火力レベルを一段階下げる場合（たとえばレベル６からレベル５に変化させる場合）に必要な回転量よりも多くなるように設定されている。これにより、レベル０まで一気に回転しにくくなり、ユーザの意図しない動作による加熱停止を防ぐことができ、さらにユーザの使い勝手を向上させる事ができる。たとえば、火力をレベル１からレベル０に変化させるときに必要なクリック数を５に固定し、他のレベルから火力レベルを一段階下げる場合（たとえばレベル６からレベル５に変化させる場合）に必要なクリック数を１〜３の３つのクリック数から選択できるように設計されてもよい。
【００３６】
または、加熱コイル２３をレベル１から停止状態に変化させるとき、たとえば０．５秒間ダイヤルが回転せず、その後ダイヤルが再び回転した場合に、停止状態に変化させるように構成させてもよい。例えばレベル２以上の火力から、火力を下げる時に、ユーザがダイヤルを回転させすぎる場合がある。それに対して、停止状態まで一気に火力を下降させない構成にすることで、ユーザの意図しない動作による加熱停止を防ぐことができ、さらにユーザの使い勝手を向上させる事ができる。またダイヤルが回転しない一定の期間として１秒間を例示したが、利便性と誤動作抑制のバランスをとり、０．２秒から３秒の間で適宜設定してもよい。
【００３７】
また、本実施の形態では、制御部２２はグリル用の中央のダイヤル部３０ｂの回転に応じてグリル部２４の動作を制御する。制御部２２は、グリル部２４が通電されていない状態で、グリル用の中央ダイヤル部３０ｂが第１の方向(たとえば右方向)に回転すると、グリル用のＬＣＤ部１３ｂに、図８に示す手動メニューを表示させる。また、制御部２２は、ダイヤル部３０ｂが第一の方向と異なる第２の方向(たとえば左方向)に回転すると、ＬＣＤ部１３ｂに、図９に示す自動メニューを表示させる。これにより、一方向のみで全ての調理メニューを選択する場合と比べて、調理メニューの選択が素早くできるようになり、さらにユーザの使い勝手を向上させる事ができる。なお、手動メニューを選択すると、ユーザは、グリル部２４の上ヒータ２５と下ヒータ２６の火力を手動で調整する必要がある。自動メニューを選択すると、制御部２２は、上ヒータ２５と下ヒータ２６の火力をコースに応じて自動で制御する。
【００３８】
自動メニューは複数のコースを含む。複数のコースは、たとえば切身、干物、つけ焼きなどの調理コースである。制御部２２は、複数のコースのうちの一つ(たとえば切身)が選択されると、グリル用の中央のダイヤル部３０ｂを回転するのみでは、他のコースへの変更を受け付けないように構成されている。これにより、ユーザの意図しない操作を防ぐ事ができ、さらにユーザの使い勝手を向上させる事ができる。
【００３９】
以下、他の実施の形態について説明する。
【００４０】
本実施の形態では、加熱コイルの数は２つとしたが、数は限定されない。
【００４１】
本実施の形態では、加熱コイル用のダイヤル部３０ａ，３０ｃも、グリル用のダイヤル部３０ｂも、回転によるクリック感が得られるダイヤルであるとしたが、少なくともいず
れか一つはクリック感のないダイヤルであってもよい。その場合は、制御部２２はダイヤル部の回転量を、クリック数ではなく、回転角で検知してもよい。
【００４２】
本実施の形態では、加熱調理器はグリル部２４を有するものとしたが、グリル部２４は無くてもよい。また、グリル部２４の有無に関わらず、グリル用のダイヤル部３０ｂはなくてもよい。
【００４３】
本実施の形態では、ダイヤル操作のスピードは「早」「標準」「遅」の３段階から選択できるものとしたが、三段階に限定されない。たとえば「標準」「遅」の２段階から選択できてもよく、４段階以上から選択できてもよい。
【００４４】
本実施の形態では、加熱コイル２３を停止状態からレベル１に変化させるのに必要なダイヤルのクリック数を選択できないように設定し、５に固定しているが、このクリック数を選択できるように構成してもよい。同様に、レベル１から停止状態に変化させるのに必要なダイヤルのクリック数を選択できるように設定してもよい。
【００４５】
また、本実施の形態では、火力レベルの上昇と下降の双方の変化において、ダイヤルの操作スピードが選択できるように構成されているが、上昇と下降のいずれか一方の変化においてのみ、ダイヤルの操作スピードが選択できるように構成されてもよい。また、火力レベルの上昇と下降のそれぞれの変化におけるダイヤルの操作スピードを、それぞれ独立して選択できるように構成されてもよい。
【００４６】
本実施の形態では、制御部２２は、グリル用の中央ダイヤル部３０ｂが第１の方向(たとえば右方向)に回転すると、グリル用のＬＣＤ部１３ｂに、図８に示す手動メニューを表示させるとしたが、右方向に限定されるものではない。同様に制御部２２は、ダイヤル部３０ｂが第一の方向と異なる第２の方向(たとえば左方向)に回転すると、ＬＣＤ部１３ｂに、図９に示す自動メニューを表示させるとしたが、これも左方向に限定されるものではない。
【００４７】
本実施の形態では、加熱調理器として誘導加熱調理器を例に挙げて説明したが、本発明のダイヤル部３０ａ、３０ｃを、ガスコンロなどの加熱調理器にも適用することができる。つまり、加熱調理器は、加熱部と、回転することにより加熱部の操作を受け付けるダイヤルと、ダイヤルの回転量に応じて加熱部の火力を段階的に変化させる制御部と、を備えていてもよい。加熱部は、たとえばコンロバーナである。制御部は、火力を一段階変化させるときのダイヤルの回転量を、複数の値から選択するように構成されていてもよい。ユーザがダイヤルの火力操作スピードを選択できるため、ユーザの使い勝手が向上する。
【産業上の利用可能性】
【００４８】
以上のように、本発明にかかる加熱調理器は、ユーザがダイヤルの火力操作スピードを選択できるため、ユーザの多種多様な好みの火力操作スピードに調整する事ができる。従って、高齢者を含めた幅広いユーザを対象とした、ダイヤル操作を搭載する加熱調理器に有用である。
【符号の説明】
【００４９】
１０    トッププレートユニット
２０    本体ユニット
１０    トッププレートユニット
１１    トッププレート
１２    操作部
１３    ＬＥＤ部
１３ａ  左ＬＣＤ部
１３ｂ  中央ＬＣＤ部
１３ｃ  右ＬＣＤ部
１４    ＬＥＤランプ
１４ａ  左ＬＥＤランプ
１４ｃ  右ＬＥＤランプ
２０    本体ユニット
２１    インバータ回路
２２    制御部
２３    加熱コイル
２３ａ  左加熱コイル
２３ｂ  右加熱コイル
２４    グリル部
２５    上ヒータ
２６    下ヒータ
３０    ダイヤル部（ダイヤル）
３０ａ  左ダイヤル部
３０ｂ  中央ダイヤル部
３０ｃ  右ダイヤル部
３１    エンコーダ
３２    エンコーダカバー
３３    クリック感付与部
３３ａ  ばね（可動部）
３３ｂ  突起
４０    被加熱体
【図１】
2020136107.tif 000003
【図２】
2020136107.tif 000004
【図３】
2020136107.tif 000005
【図４】
2020136107.tif 000006
【図５】
2020136107.tif 000007
【図６】
2020136107.tif 000008
【図７】
2020136107.tif 000009
【図８】
2020136107.tif 000010
【図９】
2020136107.tif 000011